(57)【要約】      （修正有）【課題】小ロットあるいは試作品としての厚紙やダンボールを使用した、表面に印刷まで施してあるパッケージを短時間で安価に製作するシステムを提供し、パッケージを製作する。【解決手段】パソコンにプリンター、ＸＹプロッターをオンラインで動くように接続し、パッケージの展開図面データを作成し、その展開図面データを基に面彫りシートの設計を自動的に行い、ＸＹプロッターを使用して面彫りシートを作成して、ＸＹプロッターの天板に貼り付けておく。次にパッケージ表面への印刷データを内蔵ソフトで合成し、印刷データを基に厚紙の必要部分にプリンターで印刷を行う。その厚紙をＸＹプロッターの所定の位置に置き、罫引ツールでパソコンのデータを基に厚紙に折り曲げ用の押罫を施し、次にカッティングツールでダイカットを行い、厚紙から折りたたみパッケージの部分を切り離してパッケージを製作する。【選択図】図１
0003143258.tif 000002
【実用新案登録請求の範囲】
【請求項１】
厚紙等を切り抜き、要所要所を折り曲げて、組み立てて製作するパッケージ等の展開図面を、パソコンに入力したパッケージの形・大きさ等のデータを基に内蔵している専用図面作成ソフトで作成し、折り曲げ線のための押罫を施す位置や、切り抜き用のダイカットを施す位置を区別し、厚紙に押罫を施す時に押罫が割れたりせずに美しく引けるように厚紙の下に置く面彫りと呼ばれる厚さ１ｍｍ弱の薄板で、押罫の線に沿って溝が掘られている面彫りを面彫り図面作成ソフトで自動的に作図し、ＸＹプロッターでカット製作して切り抜いた面彫りを、予めＸＹプロッター天板表面に貼り付けておき、次にパソコンと連動しているプリンターで印刷データに基づき厚紙に印刷し、その厚紙をＸＹプロッターの所定の位置に装着し、罫引ツールをツールホルダーにセットして押罫を施し、更にカッティングツールに取り替えてダイカットを行い、パッケージになる部分を切り離し、折り曲げて組み立てるパッケージ
【請求項２】
ロール状に巻いてある厚紙をプリンターにセットして印刷できるように、ロール紙給紙装置をプリンターに取り付けて印刷する事を特徴とする請求項１記載のパッケージ。
【請求項３】
厚紙としてダンボール板を使用して、押罫やハーフカットやダイカットを施してパッケージ等を製作する事を特徴とする請求項１あるいは請求項２記載のパッケージ。
【考案の詳細な説明】
【技術分野】
【０００１】  パソコンに入力したデータを基に厚紙等に印刷し、押罫やハーフカットやダイカット等を施して作るパッケージに関する。
【背景技術】
【０００２】  従来厚紙やダンボールを切り抜いてパッケージ等を製作する工程としては、紙表面に製版を含む印刷を施す工程、その厚紙をプレス機にセットして折り曲げのための押罫を施す時に、厚紙が切れたり割れたりしないように、押罫に対応するところに溝が掘ってある面彫りと称するシートを作成してプレス機の床板に予め貼り付けておき、その後を厚紙に押罫を施す工程。【０００３】  更に打ち抜きのための打ち抜き型を作成して、その打ち抜き型をプレス機にセットし厚紙打ち抜く工程を採らねばならなかった。先程の面彫りの作成にも時間が掛かったが、打ち抜き型を作成する場合は更に時間を要し、かつ打ち抜き型は高価であった。従ってある程度以上（数千枚）の枚数の製品を製作しなければ商業的には成り立たなかったが、またショット数が多すぎても打ち抜き型の刃が潰れてきて使用不可になった。【０００４】  経済性を度外視するにしても、面彫りの作成、打ち抜き型の作成に時間が掛かるので、素早く試作品を作って検討を重ねる等の時には、全て手作業で箱を制作するしか方法が無かったが、完成品とは程遠いものであることが多かった。
【考案の開示】
【考案が解決しようとする課題】
【０００５】  小ロットあるいは試作品としての厚紙やダンボールを使用した、表面に印刷まで施してあるパッケージを短時間で安価に製作するシステムを提供し、パッケージを製作する。
【課題を解決するための手段】
【０００６】  本考案は上記問題に鑑みてなされたものであり、パソコンにプリンター、ＸＹプロッターをオンラインで動くように接続し、パソコンにはパッケージ等の展開図面を作成する専用図面作成ソフトが内蔵してある。まずパッケージの展開図面データを作成し、その展開図面データを基に面彫りシートの設計を自動的に行い、可否をチェックした後ＸＹプロッターを使用して面彫りシートを作成して、ＸＹプロッターの天板に貼り付けておく。【０００７】  次にパッケージ表面への印刷データを内蔵ソフトで合成し、印刷データを基に厚紙の必要部分にプリンターで印刷を行う。その厚紙をＸＹプロッターの所定の位置に置き、罫引ツールをＸＹプロッターのツールホルダーにセットしてパソコンのデータを基に厚紙に折り曲げ用の押罫を施し、次に罫引ツールをカッティングツールに取替え、ダイカットを行い、厚紙から折りたたみパッケージの部分を切り離しパッケージを作製する。ツールの取替えは自動的に行うようにしておくと便利である。【０００８】  罫引ツールとしては以前当考案者の考案にかかる罫引玉芯（実新第３１３２２９４号）あるいは肩付罫引（実願第２００７−１０１０１号）を使用することにより、厚紙あるいはダンボール板にスムーズな押罫を施すことができる。ダンボール板は折り曲げ部にハーフカットを施してもよい。
【考案の効果】
【０００９】  以上述べてきたように、本考案はパソコンとそれにオンライン接続してあるプリンター、ＸＹプロッターにより厚紙に印刷、罫引、カットまで行えるので、従来別々に行っている一連の手間のかかる印刷工程、プレス機による押罫作業工程、打ち抜きプレス機によっていた打ち抜き工程に比べて著しく作業時間の短縮、費用の軽減を行うことができる。かつ試作品とは言え完成品とまったく同じ高品位のパッケージを制作することができる。
【考案を実施するための最良の形態】
【００１０】  パッケージ展開図面作成やその図面データに印刷データを合成できる専用ソフトを内蔵したパソコンに、厚紙にフルカラー印刷できるプリンター、さらに押罫やハーフカットやダイカットのできるＸＹプロッターがオンラインで接続してある。【００１１】  そのプリンターにはロール状に巻いてある厚紙もセットできるよう厚紙ロール紙給紙装置が取り付けてあり（意匠登録第１３０５５５２号）、給紙装置からの厚紙の供給、あるいはダンボール板のような場合は一枚ずつの供給にも対応できるようにしてある。【００１２】  作成されたパッケージ展開図面を使って面彫り図面作成ソフトにより面彫りの図面を作成し、予め面彫りを作成してＸＹプロッターの天板に貼り付けておく。【００１３】  印刷データを基に厚紙あるいはダンボール板の表面にプリンターで印刷を施し，それをＸＹプロッターの所定位置に置く。ＸＹプロッターのツールホルダーに罫引ツールを装着し、厚紙あるいはダンボール板に押罫を施す。【００１４】  ＸＹプロッターのホルダーを罫引ツールからカッティングツールに取替え厚紙あるいはダンボール板にダイカットを施し、パッケージ部分を切り離して作業は終了する。
【実施例１】
【００１５】  本考案のパソコンで作るパッケージシステムを図面に基づいて説明すると、図１は本システムの構成を示すシステム図で、パソコンとカラープリンター、ＸＹプロッターはオンライン接続してある。箱の形・サイズ等のデータや印刷用の写真、図、文字データをそれぞれパソコンに取り込む。プリンターには給紙装置、ＸＹプロッターのホルダーには罫引ツールあるいはカッティングツールを自動的に取り替えるようにしてある。【００１６】図２はパッケージの作成を行う流れ図である。２．で作図した展開図面と６．で取り込んだ図や文字データを組み合わせて７．内蔵ソフトで印刷データを合成する。８．の厚紙はダンボール板と置き換えてもよい。
【産業上の利用可能性】
【００１７】  以上述べてきたように、本考案のシステムを使用すれば従来の多くの工程は省けるので、量の多少にかかわらず、工期の短縮、費用の軽減が行える。重量のあるプレス機が不要になるので、作業場所を選ばず、かつ作業面積も大幅に少なくすることができる。
【図面の簡単な説明】
【００１８】
【図１】本考案のシステム図
【図２】パッケージの作成を行う流れ図
【図１】
0003143258.tif 000003
【図２】
0003143258.tif 000004